(57)【要約】【課題】  巻き取り装置４０を使用する時は、記録媒体収容装置３０を取り外さなければならないという問題がある。【解決手段】  紙受けは回動ロッドに保持された前ロッドと後ろロッドで保持され、回動ロッドは回転中心である軸に固定されている固定部材に長手方向にスライド自在に固定されており、回動ロッドのバスケット使用時の位置はガイド部材により規制されている。また、排紙ガイドにはロッド固定用フックが取り付けられている。【選択図】  図１
2007137610.tif 000002
【特許請求の範囲】
【請求項１】
記録媒体に画像を形成し、所定方向に延びる排紙口から記録媒体を排出する画像形成装置における、前記排紙口から排出されて排紙ガイドに案内され降下してくる記録媒体を収容するシート材を備えた記録媒体収容装置において、前記シート材は回動可能な回動ロットと、回動ロッドに保持された前ロッドと、シート材後方を保持する後ろロッドによって排紙ガイドの斜め下方で保持されており、前記回動ロッドを回動、スライドすることにより、本体下方部に記録媒体収容装置を収納できることを特徴とする記録媒体収容装置。
【請求項２】
記録媒体に画像を形成し、所定方向に延びる排紙口から記録媒体を排出する画像形成装置における、前記排紙口から排出されて排紙ガイドに案内され降下してくる記録媒体を収容するシート材を備えた記録媒体収容装置において、前記シート材は回動可能な回動ロットと、回動ロッドに保持された前ロッドと、シート材後方を保持する後ろロッドによって排紙ガイドの斜め下方で保持されており、前記前ロッド或いは後ろロッドを前記排紙ガイドに取り付け、また後ろロッド或いは前ロッドをロッド固定部材で作業台に固定することにより、前記シート材を排紙ガイドから作業台に橋渡しすることが可能なことを特徴とする記録媒体収容装置。
【請求項３】
前記回動ロッドは回転中心である軸に固定されている固定部材に長手方向にスライド自在に固定されており、前記回動ロッドの記録媒体収容装置使用時の位置はガイド部材により規制されていることを特徴とする請求項１、２記載の記録媒体収容装置。
【請求項４】
前記回動ロッドと前ロッドはスナップ嵌めによって連結されていることを特徴とする請求項１、２記載の記録媒体収容装置。
【請求項５】
前記排紙ガイドにロッド固定用フックを一体と成している事を特徴とする請求項１、２記載の記録媒体収容装置。
【発明の詳細な説明】
【技術分野】
【０００１】
本発明は、プリンタやプリンタなどの画像形成装置から排出される記録媒体を収容する記録媒体収容装置に関し、特に、大判（Ａ０サイズやＢ０サイズなど）の記録媒体を収容するのに好適な記録媒体収容装置に関する。
【背景技術】
【０００２】
コンピュータやワークステーションの出力装置として、所定の搬送方向に搬送される記録紙などの記録媒体にインクを吐出して画像を形成するインクジェット方式画像形成装置が知られている。このインクジェット方式画像形成装置は、通常、インクを吐出する複数のインク吐出口が形成されたインク吐出面を有する印字ヘッドと、この印字ヘッドを搭載して所定の主走査方向に往復動するキャリッジと、この主走査方向に直交する副走査方向（上記した所定の搬送方向と同じ方向）に記録紙を搬送する搬送装置とを備えている。
【０００３】
記録紙に画像を形成する際は、搬送装置で搬送中の記録紙を一時的に停止させ、キャリッジを上記の主走査方向に往復動させながら、画像情報を担持した画像信号に基づいてインク吐出口からインクを吐出し、記録紙のうちインク吐出口に向き合う画像形成領域に位置する部分に１バンド分の画像を形成する。その後、紙を１バンド分の幅だけ搬送して再び停止させ、キャリッジを主走査方向に往復動させながら、画像信号に基づいてインク吐出口からインクを吐出し、記録紙のうち画像形成領域に新たに位置する部分に画像を形成する。このような動作を繰り返すことにより記録紙の全面に画像を形成する。
【０００４】
上記したインクジェット方式画像形成装置には、例えば特開２００１−００２３０７の図１１のように画像が形成された記録媒体を排出するための排紙口が形成されている。排紙口の下方には、通常、この排紙口から排出された記録媒体が収容される記録媒体収容装置が配置されている。図１１を参照して、従来の記録媒体収容装置について説明する。
【０００５】
図１１は、従来の記録媒体収容装置が取り付けられたインクジェット方式画像形成装置を示す斜視図である。
【０００６】
プリンタ１０などの画像形成装置がスタンド５０の上部に固定されている。プリンタ１０には、セットがし易いように前側にロール状の記録媒体１６がセットされ、画像が形成された記録媒体が排出される排紙口１２が形成されている。排紙口１２から排出された記録媒体は排紙ガイド１４に案内されて降下し、排紙口１２の下方に配置された記録媒体収容装置３０に収容される。
【０００７】
記録媒体収容装置３０は前アーム３１と後アーム３２で保持されたシート材３３で成っていて、袋形状をしている。
【０００８】
排紙口１２から排出された記録媒体は、排紙ガイド１４に案内されて記録媒体収容装置３０に到達する。記録媒体収容装置３０に入り込んだ記録媒体は、シート材３３に沿って進んでいき、画像形成が終わった後、図示していないカッターで記録媒体後端を切断する。
【０００９】
また、ロール紙を切断せず連続して印刷する時を図１０を用いて説明する。図１０は右側面図であり、説明に不要な部分は不図示にしている。巻き取り装置４０を使用する時は印刷する前に、予め記録媒体Ｓを一定距離排出しておき、巻き取り装置４０に固定された紙管４１に記録媒体Ｓの先端を固定する。この時に、巻き取られる記録媒体Ｓにテンションを持たせる為にウェイト４２をセットする。そして、印刷が始まると、記録媒体Ｓが押し出されて、ウェイト４２が降下する。すると、巻き取りセンサー４３がウェイト４２の下端を検知し、巻き取り装置４０が矢印方向に回転し記録媒体Ｓはウェイト４２の下端がセンサーを切るまで巻き取られる。
【特許文献１】特開２００１−００２３０７号公報
【発明の開示】
【発明が解決しようとする課題】
【００１０】
しかしながら、巻き取り装置４０を使用する時は、記録媒体収容装置３０を取り外さなければならないという問題がある。これは巻き取り装置４０が用紙収容装置３０の中に入り込んでいる為、用紙収容装置４０を取り付けたままだと、巻き取り装置４０へのアクセスが困難になるためである。
【００１１】
また、Ｂ０サイズ等の大判の記録媒体収容装置にＡ４サイズの記録媒体が収納された時に、取り出しにくいという問題があった。これは大判サイズの記録媒体を収納する為には深い袋状にしなければならないためである。
【００１２】
さらに、光沢紙等に印刷する場合、図９に示すようにプリンタ１０の排紙ガイド１４近傍にテーブル等の作業台８０を設置し、その上に印字された記録媒体Ｓを平置きする方法がある。これは、記録媒体収容装置では光沢紙等のフォト用紙は複数枚積載すると印字面同士が重なり傷が付く可能性があることを懸念している為である。しかしながら、この場合はプリンタ１０の排紙ガイド１４と作業台５０の高さに段差が生じ、印字された記録媒体の先端Ｓ１が作業台８０にぶつかり、作業台８０の上に真直ぐに排紙できないという問題があった。また、ロール状の記録媒体１６を交換する場合は作業台８０を移動しなければならないという問題があった。
【課題を解決するための手段】
【００１３】
そこで本発明では、巻き取り装置を使用する時に記録媒体収容装置を取り外さなくても良いように、以下の記録媒体収容装置を提案する。
【００１４】
記録媒体に画像を形成し、所定方向に延びる排紙口から記録媒体を排出する画像形成装置における、前記排紙口から排出されて排紙ガイドに案内され降下してくる記録媒体を収容するシート材を備えた記録媒体収容装置において、前期シート材は回動可能な回動ロットと、回動ロッドに保持された前ロッドと、シート材後方を保持する後ろロッドによって排紙ガイドの斜め下方で保持されており、前記回動ロッドを回動、スライドすることにより本体下方部に、記録媒体収容装置を収納できることを特徴とする記録媒体収容装置。
【００１５】
更に、上記記録媒体収納装置は回動ロッドを回動することにより、小判の記録媒体が取り出しやすくなっている。
【００１６】
また、テーブル等の作業台等へ印字された記録媒体を排紙し易いように、以下の記録媒体収容装置を提案する。
【００１７】
記録媒体に画像を形成し、所定方向に延びる排紙口から記録媒体を排出する画像形成装置における、前記排紙口から排出されて排紙ガイドに案内され降下してくる記録媒体を収容するシート材を備えた記録媒体収容装置において、前期シート材は回動可能な回動ロットと、回動ロッドに保持された前ロッドと、シート材後方を保持する後ろロッドによって排紙ガイドの斜め下方で保持されており、前記前ロッドは前記回動ロッドより取り外し可能で、前記排紙ガイドに取り付け、また後ろロッドをロッド固定部材でテーブル等の作業台に固定することにより、前記シート材を排紙ガイドから作業台に橋渡しすることが可能なことを特徴とする記録媒体収容装置。
【００１８】
また、前記回動ロッドは回転中心である軸に固定されている固定部材に長手方向にスライド自在に固定されており、前記回動ロッドの記録媒体収容装置使用時の位置はガイド部材により規制されていることを特徴とする記録媒体収容装置。
【００１９】
また、前記回動ロッドと前ロッドはスナップ嵌めによって連結されていることを特徴とする記録媒体収容装置。
【００２０】
また、前記排紙ガイドにロッド固定用フックを一体と成している事を特徴とする記録媒体収容装置。
【発明の効果】
【００２１】
本発明により、記録媒体収容装置は本体下方部の巻き取りセンサーに干渉しない位置に収納できるので、記録媒体収容装置を取り外さないで巻き取り装置を使用できる。
【００２２】
さらに、記録媒体収容装置に小判の記録媒体が収容された時でも取り出しが容易である。
【００２３】
また、テーブル等の作業台等へ排紙する時は、記録媒体記録装置のシート材をプリンタの排紙ガイドと作業台の橋渡しに使用するので、段差無く真直ぐに排紙できる。
【００２４】
また、作業台に排紙中にロール状の記録媒体を交換する場合でも、プリンタと作業台の間隔が開いているので、シート材を取り外すだけで容易にできる。
【発明を実施するための最良の形態】
【００２５】
（実施例１）
以下、図面を参照して本発明の記録媒体収容装置の実施の形態を説明する。
【００２６】
図１は本実施例の記録媒体収容装置が取り付けられたプリンタの斜視図である。
【００２７】
スタンド５０の上部にはプリンタ１０などの画像形成装置が固定されている。プリンタ１０には、このプリンタ１０を操作するための操作部１７を備えており、この操作部１７に設置された各種のスイッチ等により、紙サイズ、オンライン／オフライン、コマンドなどが指示される。プリンタ１０の内部には、インクを吐出する複数のインク吐出口が形成された印字ヘッドと、この印字ヘッドを搭載して主走査方向に往復動するキャリッジとが備えられている。印字ヘッドにより画像の形成された部分は排紙口１２を通って排紙ガイド１４に案内されて降下し、排紙口１２の下方に配置された記録媒体収容装置６０に収容される。排紙ガイド１４には排出された記録媒体が巻き癖によりプリンタ１０内部に入り込むのを防止する排紙アシスト部材１５を備えている。また、ロール状の記録媒体を印刷後、切断せずに紙管に巻き取る巻き取り装置４０はスタンド５０に装備されている。
【００２８】
また、記録媒体収容装置６０は布等のシート材６５とシート材６５を保持している前ロッド６２と後ろロッド固定部材６６に固定されている後ろ下ロッド６３、後ろ上ロッド６４、前ロッド６２を回動可能に支持している回動ロッド６１と回動部７０で成り立っている。
【００２９】
回動部７０の詳細を図２を用いて説明する。前ロッド６１はロッド固定部材７２内で矢印Ａ方向にスライド可能であり、ロッド固定部材７２は回転軸７３を中心に矢印B方向に回転する。７１は回動ロッド６１の位置を決めるガイド部材である。図2は記録媒体収容装置６０使用時のポジションでガイド部材７１の突起７１Ａによって、前ロッド６２の位置が規制されている。記録媒体収容装置６０を使用しないときは、前ロッド６２を奥側に倒すことにより、回動ロッド６１は時計方向に回動し、前ロッド６２はスタンド５０に突き当たり止まる。
【００３０】
次に巻き取り装置４０を使用するときの記録媒体収容装置６０の収納方法を説明する。
【００３１】
まず、回動ロッド６１をロッド固定部材７２の引抜き方にスライドさせ、ガイド部材７１の突起７１Ａから回動ロッド６１の先端を外す。そのまま、回動ロッド６１が水平になるまで半時計方向に回転させる。（図３参照）その後、回動ロッド６１を図３の矢印方向Ｃにスライドさせ、収納は完了する。この状態で巻き取り装置４０を使用した図を図４に示す。記録媒体収容装置６０の前ロッド６２、回動ロッド６１、シート材６５が共に巻き取りセンサー４３、ウェイト４２より後方に有る為、記録媒体収容装置６０を取り外すことなく巻き取り装置４０は不具合無く使用できる。
【００３２】
また、前述した図２、図３の動作を小判の記録媒体の排紙時に使用すれば、袋状のシート材６５の奥まで手が届くので、取り出しが容易である。
【００３３】
（実施例２）
次に図５を用いて、印字された記録媒体をテーブル等の作業台に排紙する方法を説明する。図5は実施例1で説明した記録媒体収容装置６０を組み換えたもので、その方法を説明する。図６は前ロッド６２と回動ロッド６１の連結部の詳細図で回動ロッド６１の先端に設けられたジョイント部６１Ａはスナップ嵌め構造になっていて、前ロッド６２は付け外し自由に保持されている。前ロッド６２を矢印Ｄ方向に引っ張ることによって、回動ロッド６１より分離し、図７に示すように排紙ガイド２４の先端に設けてあるロッド受け２４Ａに移動する。また、後ろロッド６３、６４は後ろロッド固定部材６６より外し、図８に示すように後ろ下ロッド６３はロッド取り付け部材６６によって作業台８０に設置される。図のようにシート材６５をロッド６３と作業台８０の間に通し、ロッド６４に余ったシート材６５を巻き付け、シート固定部材６７で留める。ロッド６４がおもりになって、シート材６５は真直ぐに張れるので、プリンタ１０と作業台８０の間隔が変わっても対応できる。本実施例では前ロッド６１を排紙ガイド２４のロッド受け２４Ａに移動したが、後ろロッド６４をロッド受け２４Ａに移動しても同様の形状になる。
【００３４】
以上の構成では、排紙ガイド２４から作業台８０までシート６５が橋渡しをしているので、印字された記録媒体は段差を越えることなく真直ぐに作業台８０に排紙できる。
【００３５】
また、ロール状の記録媒体１６を交換する場合でも、プリンタ１０と作業台８０の間隔が開いているので、シート材６５を取り外すだけで容易にできる。
【図面の簡単な説明】
【００３６】
【図１】第1の実施例の記録媒体収納装置を備えたプリンタの斜視図である。
【図２】第1の実施例の回転ロッドの構成を示す図である。
【図３】第1の実施例の回転ロッドの動作を示す図である。
【図４】第１の実施例の記録媒体収納装置を備えたプリンタで巻き取り装置を使用する時の斜視図である。
【図５】第２の実施例で作業台の上に排紙する場合の記録媒体収納装置を備えたプリンタの斜視図である。
【図６】第２の実施例で回動ロッドと前ロッドの接続を説明する斜視図である
【図７】第２の実施例で排紙ガイドと前ロッドの接続を説明する側面図である。
【図８】第２の実施例で後ろロッドとロッド取り付け部材の配置を説明する側面図である。
【図９】プリンタから直接作業台に排紙する時の斜視図である。
【図１０】巻き取り装置使用時のプリンタを示す側面図である
【図１１】従来の記録媒体収容装置が取り付けられたプリンタを示す斜視図である。
【符号の説明】
【００３７】
１０  プリンタ
４０  巻き取り装置
５０  スタンド
６０  記録媒体収容装置
７０  記録媒体収容装置回動部
８０  作業台
【図１】
2007137610.tif 000003
【図２】
2007137610.tif 000004
【図３】
2007137610.tif 000005
【図４】
2007137610.tif 000006
【図５】
2007137610.tif 000007
【図６】
2007137610.tif 000008
【図７】
2007137610.tif 000009
【図８】
2007137610.tif 000010
【図９】
2007137610.tif 000011
【図１０】
2007137610.tif 000012
【図１１】
2007137610.tif 000013